(57)【特許請求の範囲】
【請求項１】
枠体と、この枠体の対向する一対の内壁部の両端部に突没可能に設けられた二対の突没部材と、内部にランプが収納され、ランプの上方および側方には反射板が装着された函状の器具本体とからなり、この器具本体の両端面には、前記突没部材と相対して設けられた一対の係合孔と、一対の係合孔を中心とし、それぞれ他方の係合孔までの距離を半径とする円周上に、前記突没部材を挿入できるように設けられた複数の係止孔を有し器具本体の形状を両端面の一対の係合孔のそれぞれ一方に、前記枠体の対向する一対の内壁部の突没部材の一方を挿入させた状態で、その突没部材をそれぞれ中心として回動可能に形成したことを特徴とする照明器具。
【請求項２】
下面が開口された箱状の取付本体と、この取付本体の対向する垂直な一対の内壁部の両端部から突没可能に設けられた二対の突没部材と、内部にランプが収納され、ランプの上方および側方には反射板が装着された函状の器具本体とからなり、この器具本体の両端面には、前記突没部材と相対して設けられた一対の係合孔と、一対の係合孔を中心とし、それぞれ他方の係合孔までの距離を半径とする円周上に、前記突没部材を挿入できるように設けられた複数の係止孔を有し器具本体の形状を両端面の一対の係合孔のそれぞれ一方に、前記取付本体の対向する一対の内壁部の突没部材の一方を挿入させた状態でその突没部材をそれぞれ中心として回動可能に形成したことを特徴とする照明器具。
【請求項３】
突没部材をＴ字状に形成し、脚部を下方から左右に移動可能なように枠体の下面に設けた長穴から突出させて、水平部の一端を枠体または取付本体の内壁部から、本体端板に設けた係合孔および係止孔に着脱自在に貫通させたことを特徴とする請求項１または２記載の照明器具。
【請求項４】
突没部材は枠体または取付本体の垂直な内壁部の裏側に一端を固定し、他端は枠体または取付本体の下面に設けた長穴から外方に移動可能な自由端として突出させた弾性板材と、この弾性板材の腹部に内方に向けて水平に固定した係合凸部により構成し、弾性板材の自由端を外方に移動することにより係合凸部を本体端板に設けた係合孔または係止孔から外すことを可能とした請求項１または２記載の照明器具。
【発明の詳細な説明】
【０００１】
【産業上の利用分野】
この発明は、天井面などに埋め込み設置されるオフィスの照明器具において、机に向かう照射角度を可変調整可能としたものに関する。
【０００２】
【従来の技術】
従来、照射角度を可変調整可能としたこの種の照明器具は、たとえば実開昭６１ー４８５０９号公報に記載されている構造が知られている。
【０００３】
このものの構造は、第６図に示すように、造営材の天井面１にボルト等により埋め込み設置される固定本体２内にランプ３を装着するランプソケットを設けた反射板４を、前記固定本体２の両端に設けられた固定本体端板８の一下端を中心に回動自在に支持し、この反射板４の外側に弾性係止片５を設け、この反射板４の回動で弾性係止片５が前記固定本体２内の上部側から一側面に沿って円弧状に配設した回動案内体６に所定の間隔をもって形成した係止孔７に係脱自在に係合して一方向のみ照射方向を調整できる構造がとられていた。
【０００４】
【発明が解決しようとする課題】
上記従来の構造の照明器具では照射する方向は左右どちらか一方向に限られているいるため、本件出願人が先に出願した特願平６−２４８０２６号記載の照明システムに使用される照明器具のように机の配置に合わせて、照射方向を左右両方向に可変とする場合ね問題があった。
【０００５】
また、本件出願人が先に出願した特願平６−２４８０２６号記載の照明システムでは机の配置が大きく変更された場合、照射するランプ、反射板を含む器具本体を容易に移設できるよう着脱可能とする必要があるが、従来の構造の照明器具では回転自在にする支持具がないため問題であった。
【０００６】
この発明は、上述のような課題を解決するためになされたもので第一の目的は照射方向を左右両方向に可変でき、かつ所定の照射方向に器具本体を容易に調整できるものである。
【０００７】
また、第２の目的はランプ、反射板を有する器具本体を容易に着脱できる照明器具を得るものである。
【０００８】
さらに第３の目的は照射方向の可変および器具本体の着脱をランプや反射板等の部品を外さずに、器具外部から容易操作できる照明器具を得るものである。
【０００９】
【課題を解決するための手段】
この発明に係る照明器具においては、枠体または下面が開口した箱状の取付本体と、この枠体または、取付本体の対向する一対の内壁部の両端に突没可能な二対の突没部材と、その一対の突没部材を挿入した先端面の係合孔を中心として回動可能な形に形成され、内部にランプおよび反射板が装着された函状の器具本体とより成り、この器具本体の両端面には前記突没部材と相対して設けられた一対の係合孔と、一対の係合孔を中心とし、それぞれ他方の係合孔までを半径とする円周上に前記突没部材が挿入できる複数の係止孔を有した前記突没部材は、この係合孔および係止孔に挿入、離脱自在に構成したものである。
【００１０】
また、前記発明の照明器具において突没部材をＴ字状に形成し、脚部を器具外部から左右に移動可能なように枠体または取付本体の下面の長穴から突出させ、水平部の一端を枠内壁から、本体端面に設けた係合孔及び係止孔に着脱自在に貫通したものである。
【００１１】
さらに、前記発明の照明器具の突没部材は、枠体または取付本体の垂直な内壁部の裏側に一端を固定し、他端を枠体または取付本体の下面の長孔から外方向に移動可能な自由端として突出させた弾性板材と、この弾性板材の腹部に内方向に向けて係合凸部を設け、弾性板材の自由端を外方向に移動することにより係合凸部を本体端板に設けた係合孔または係止孔から外すことを可能にしたものである。
【００１２】
【作用】
上記にように構成された照明器具においては、内部にランプが収納され、ランプの上方および側方に反射板が装着された器具本体は、通常状態では枠体または取付本体の対向する一対の内壁部の両端付近に設けられた二対の突没部材が、器具本体の両端面の二対の係合孔に挿入保持され、左照射時は右側の一対の突没部材を没状態にすることにより左係合孔を中心に回動可能となり、本体端面の左係合孔を中心とした右係合孔までの距離を半径とする円周上に設けられた所定の係止孔位置で一対の突没部材を突状態にすることで照射方向が調整できる。
【００１３】
また、右照射時は左側の一対の突没部材没状態にすることにより右係合孔を中心に回動可能となり、本体端面の右係合孔を中心とした左係合孔までの距離を半径とする円周上に設けられた所定の係止孔位置で一対の突没部材を突状態にすることで照射方向が調整でき左右両方向の照射が可能となる。
【００１４】
さらに、二対の突没部材全て没状態にすることにより、器具本体を枠体または取付本体から外すことが可能となる。
【００１５】
また、二対の突没部材はＴ字状に形成し、脚部を枠体または取付本体の下面から突出させ、水平部の一端を枠内壁から本体端面に設けた係合孔および係止孔に着脱自在に貫通し、突没部材の脚部を左右に移動することにより、前記没状態または突状態が器具外部から簡単に行える。
【００１６】
またさらに、枠体または取付本体の垂直な内壁部の裏側に一端を固定し、他端を枠体または取付本体の下面の長孔から外方向に移動可能な自由端として突出させた弾性板材と、この弾性板材の腹部に内方向に向けて係合凸部を設けた突没部材は、弾性板材の自由端を外方向に移動することにより係合凸部を本体端板に設けた係合孔または係止孔から外すことができ、器具外部から簡単に照射方向調整または器具の取り外しができる。
【００１７】
【実施例】
実施例１
図１およよび図２はこの発明の一実施例である照明器具を示すもので、図において１１は枠体であり、外周の両端部に形成された枠取付部１２により天井部材１３に固定される。
【００１８】
１４は枠体１１の内周に形成される対向した一対の内壁部であり、この一対の内壁部１４の其れぞれの両端部に貫通孔１５が設けられている。
【００１９】
１６はＴ字体の突没部材であり、その水平部の一端１７は内壁部１４の貫通孔１５を貫通し、水平部の一端１８はコの字上の受金具１９に水平移動できるように係止し、さらに突没部材１６の脚部２０は枠体１１の下面に形成された長孔３０から下方に突出している。
【００２０】
また、突没部材１６の水平部の他の一端１８側に突没部材１６を軸としてスプリング２１が具備され、スプリング２１の片側は受金具１９の内側面に接触し、片側は突没部材１６の脚部２０を水平方向に押しつけ、突没部材１６の水平部の一端１７を枠体１１の内壁部１４から突出させている。
【００２１】
一方、２２は函状の器具本体であり、２３は器具本体２２に収納されるランプであり、２４はランプ２３の上方および側方を覆うように装着された反射板、この反射板２４はつまみねじにより、器具本体２２に固定されている。２５は器具本体２２の端面でこの本体端面２５の両端には枠体１１の内壁部１４に設けられた突没部材１６と相対して、突没部材１６の水平部の一端１７が挿入可能な係合孔２６および係合孔２７を設けている。
【００２２】
また、片側の係合孔２６を中心とし、係合孔２７上を通る円周上に複数の係止孔２８を設け、さらに係合孔２７を中心とし、係合孔２６上を通る円周上に複数の係止孔２９を設けている。
【００２３】
このように構成された照明器具においては、係合孔２６を中心に照射方向を可変しようとするときは、枠体１４から突出した突没部材１６の脚部２０を手でつまみ、長孔３０に沿って外方向に力を加え移動させ器具本体２２を回動可能状態とし器具本体２２を回転させ、所定の係止孔２８の位置で脚部２０から手を放すことにより、突没部材１６はスプリング２１の作用で枠体１１の内壁部１４から突出し、係止孔２８に水平部の一端１７が挿入され一定の照射方向に器具本体２２が固定される。同様に係合孔２７を中心に照射方向を可変しようとするときも上記と同じ動作で容易に照射方向が変更できる。
【００２４】
また、器具本体２２を移設する場合には突没部材１６すべてを外方向に移動することにより、器具本体２２が枠体１１から外され移設可能となる。
【００２５】
実施例２
上記実施例１では枠体２２にＴ字状の突没部材１６を設け構成したが、図３に示すような天井に埋めこまれる函状の取付本体３１を有する照明器具においては、取付本体３１の端部の額縁短３２の中にＴ字状の突没部材１６を設けたとき額縁短３２が長手の額縁長３３よりも極端に広くなり照明器具の美観を美観を損ねるものとなる。
【００２６】
しかし、図４および図５のように取付本体３１の対向する垂直な内壁部１４の裏側に一端をリベット３４で固定し、他端を額縁短３２の下面に形成された長孔３０から外方向に移動可能な自由端３５として突出させた弾性板材３６と、この弾性板材３６の腹部に内方向に向けてピン状の係合凸部３７を設け弾性板材３６の自由端３５を外方向に移動することにより係合凸部３７を器具本体２２の両端面２５に設けた係合孔２６，２７または係止孔２８，２９から外せるように構成すれば、実施例１と同様の動作が得られるほか、額縁短３２と額縁長３３を同じ幅とすることができる。
【００２７】
【発明の効果】
この発明では、以上説明したように構成されているので、照射方向を左右どちらでも自由に可変にできて所定の照射位置に器具本体を容易に調整できると共に、器具本体を容易に着脱し照明器具の移設を可能とし、かつ可変時および着脱時にランプや反射板等の部品を外すことなく器具外部から操作できる簡単な照射方向可変型照明器具が提供できる効果がある。
【図面の簡単な説明】
【図１】本発明の実施例１を示す照明器具の横断面図である。
【図２】本発明の実施例１を示す照明器具の側断面図である。
【図３】本発明の実施例１を適用した天井埋め込み形照明器具の斜視図である。
【図４】本発明の実施例２を示す照明器具の横断面図である。
【図５】本発明の実施例２を示す照明器具の側断面図である。
【図６】従来例、実開昭６１−４８５０９号公報記載の照明器具の横断面図である。
【符号の説明】
１１  枠体        １２  枠取付部      １４  内壁部        １５  貫通孔
１６  突没部材        １９  受金具      ２０  脚部      ２２  器具本体
２３  ランプ      ２４  反射板      ２５  本体端部    ２６，２７  係合孔
２８，２９  係止孔      ３０  長穴      ３２  額縁短      ３３額縁長
３５  自由端      ３６  弾性板材      ３７  係合凸部
【図１】
0003647919.tif 000002
【図２】
0003647919.tif 000003
【図３】
0003647919.tif 000004
【図４】
0003647919.tif 000005
【図５】
0003647919.tif 000006
【図６】
0003647919.tif 000007